【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  感光体を露光して潜像を形成すると共に前記潜像を現像して画像を形成し、前記感光体上の画像を中間転写体に転写した後、前記中間転写体上の画像を記録媒体に転写することで画像形成を行う画像形成装置において、
前記中間転写体に配設された画像形成タイミングの基準となる基準部材を光学的に検出する検出手段と、
記録媒体に単色画像を連続して形成する際の画像形成中は、前記検出手段の動作を停止状態とする制御手段と、
を備えることを特徴とする画像形成装置。
【請求項２】  前記検出手段は、前記中間転写体の前記基準部材を検出する光透過型もしくは光反射型の光センサであることを特徴とする請求項１記載の画像形成装置。
【請求項３】  前記制御手段は、記録媒体にカラー画像と単色画像を混載して画像形成する場合で前記カラー画像及び単色画像間に挟まれて形成される単色画像がある場合の単色画像の形成時は、前記検出手段による前記基準部材の検出に基づいて画像形成タイミングを生成することを特徴とする請求項１記載の画像形成装置。
【請求項４】  前記制御手段は、記録媒体に単色画像を連続して形成する際の画像形成中は、前記検出手段の動作を停止状態とし、前記画像形成の終了後は、前記検出手段を動作状態とし、前記検出手段による前記基準部材の検出に基づいて前記中間転写体を所定の位置で停止させることを特徴とする請求項１記載の画像形成装置。
【請求項５】  前記中間転写体は、複数のローラに掛け渡され循環駆動される無端ベルトであり、前記制御手段は、前記複数のローラのうち前記中間転写体に張力を加えるローラの位置が前記中間転写体の所定の位置になるように前記中間転写体を停止させることを特徴とする請求項４記載の画像形成装置。
【請求項６】  前記検出手段を前記停止状態又は前記動作状態とする設定は、前記画像形成装置と通信可能な外部装置からの設定、或いは前記画像形成装置が備える操作部からの設定、或いは前記画像形成装置が備える原稿読取部による原稿読取画像に応じた設定を含むことを特徴とする請求項１又は４記載の画像形成装置。
【請求項７】  感光体を露光して潜像を形成すると共に前記潜像を現像して画像を形成し、前記感光体上の画像を中間転写体に転写した後、前記中間転写体上の画像を記録媒体に転写することで画像形成を行う画像形成装置において、
前記中間転写体に配設された画像形成タイミングの基準となる基準部材を光学的に検出する検出手段と、
記録媒体に単色画像を連続して形成する画像形成中は、前記検出手段の動作を停止状態とし、記録媒体にカラー画像と単色画像を混載して画像形成する場合で前記カラー画像及び単色画像間に挟まれて形成される単色画像がある場合の単色画像の形成時は、前記検出手段の動作を停止させないように制御する制御手段と、
を備えることを特徴とする画像形成装置。
【請求項８】  前記制御手段は、前記単色画像を連続して形成する画像形成の終了後は、前記検出手段を動作状態とすることを特徴とする請求項７記載の画像形成装置。
【請求項９】  感光体を露光して潜像を形成すると共に前記潜像を現像して画像を形成し、前記感光体上の画像を中間転写体に転写した後、前記中間転写体上の画像を記録媒体に転写することで画像形成を行う画像形成装置において、
前記中間転写体に配設された画像形成タイミングの基準となる基準部材を光学的に検出する検出手段と、
記録媒体に単色画像を連続して形成する場合は、前記検出手段の動作を停止状態として記録媒体に画像形成を行った後、前記検出手段を動作させて前記基準部材の検出に基づいて前記中間転写体を停止させ、記録媒体にカラー画像を形成する場合又は記録媒体にカラー画像と単色画像を混載して形成する場合は、前記検出手段を動作させて前記基準部材の検出に基づいて画像形成を行うように制御する制御手段と、
を備えることを特徴とする画像形成装置。
【請求項１０】  前記単色画像の画像形成終了時の所定移動量は、カラー画像の画像形成又はカラー画像と単色画像を混載した画像形成の終了時に、前記検出手段により前記基準部材を検出した時点から所定移動量だけ前記中間転写体を駆動し停止させる位置、と同じ位置に停止させることが可能な移動量であることを特徴とする請求項９記載の画像形成装置。
【手続補正２】
【補正対象書類名】明細書
【補正対象項目名】００８３
【補正方法】削除
【補正の内容】
【手続補正３】
【補正対象書類名】明細書
【補正対象項目名】００８４
【補正方法】削除
【補正の内容】
【手続補正４】
【補正対象書類名】明細書
【補正対象項目名】００８５
【補正方法】削除
【補正の内容】
【手続補正５】
【補正対象書類名】明細書
【補正対象項目名】００８６
【補正方法】削除
【補正の内容】
【手続補正６】
【補正対象書類名】明細書
【補正対象項目名】００８７
【補正方法】削除
【補正の内容】
【手続補正７】
【補正対象書類名】明細書
【補正対象項目名】００８８
【補正方法】削除
【補正の内容】
【手続補正８】
【補正対象書類名】明細書
【補正対象項目名】００８９
【補正方法】削除
【補正の内容】
【手続補正９】
【補正対象書類名】明細書
【補正対象項目名】００９０
【補正方法】削除
【補正の内容】
【手続補正１０】
【補正対象書類名】明細書
【補正対象項目名】００９１
【補正方法】削除
【補正の内容】
【手続補正１１】
【補正対象書類名】明細書
【補正対象項目名】００９２
【補正方法】削除
【補正の内容】
【手続補正１２】
【補正対象書類名】明細書
【補正対象項目名】００９３
【補正方法】削除
【補正の内容】
【手続補正１３】
【補正対象書類名】明細書
【補正対象項目名】００９４
【補正方法】削除
【補正の内容】
【手続補正１４】
【補正対象書類名】明細書
【補正対象項目名】００９５
【補正方法】削除
【補正の内容】
【手続補正１５】
【補正対象書類名】明細書
【補正対象項目名】００９６
【補正方法】削除
【補正の内容】
【手続補正１６】
【補正対象書類名】明細書
【補正対象項目名】００９７
【補正方法】削除
【補正の内容】
【手続補正１７】
【補正対象書類名】明細書
【補正対象項目名】００９８
【補正方法】削除
【補正の内容】
【手続補正１８】
【補正対象書類名】明細書
【補正対象項目名】００９９
【補正方法】削除
【補正の内容】
【手続補正１９】
【補正対象書類名】明細書
【補正対象項目名】０１００
【補正方法】削除
【補正の内容】
【手続補正２０】
【補正対象書類名】明細書
【補正対象項目名】０１０１
【補正方法】削除
【補正の内容】
【手続補正２１】
【補正対象書類名】明細書
【補正対象項目名】０１０２
【補正方法】削除
【補正の内容】
【手続補正２２】
【補正対象書類名】明細書
【補正対象項目名】０１０３
【補正方法】削除
【補正の内容】
【手続補正２３】
【補正対象書類名】明細書
【補正対象項目名】０１０４
【補正方法】削除
【補正の内容】
【手続補正２４】
【補正対象書類名】明細書
【補正対象項目名】０１０５
【補正方法】削除
【補正の内容】
【手続補正２５】
【補正対象書類名】明細書
【補正対象項目名】０１０６
【補正方法】変更
【補正の内容】
【０１０６】
【発明の効果】
以上詳細に説明したように、本発明の画像形成装置によれば、記録媒体に単色画像を連続して形成する際の画像形成中は、中間転写体に配設された画像形成タイミングの基準となる基準部材を光学的に検出する検出手段の動作を停止状態とするので、光学的な検出手段で用いられるＬＥＤ等の光源に対する通電時間を抑えることが可能となり、その結果、検出手段の寿命を延ばすことが可能となる。